(57)【要約】【課題】複数の発光素子が配列された光源を備えた照明装置であって、自装置の姿勢の検出を安価に実現することができる照明装置及びそれを備えた表示装置を提供する。【解決手段】照明装置の筐体内を二以上の区域に分割し、少なくとも二の区域に一個ずつ温度測定部を配置する。配置に際し、各温度測定部が測定したそれぞれの温度の高低の関係は、姿勢によって異なるようにする。そして、各温度測定部による筐体内の測定位置及び各温度測定部が測定したそれぞれの温度の比較結果に基づいて姿勢を検出する。【選択図】図１１
2014170641.tif 000002
【特許請求の範囲】
【請求項１】
面状光源が設けられた面を有する筐体を備える照明装置であって、
筐体内の空間の温度を測定する複数の測定部と、
前記各測定部が測定した温度に基づいて、自装置の姿勢を検出する検出手段と
を備えることを特徴とする照明装置。
【請求項２】
請求項１に記載の照明装置であって、
前記検出手段は、
前記各測定部による前記筐体内の測定位置、及び各測定部が測定したそれぞれの温度の比較結果に基づいて、自装置の姿勢を検出する
ことを特徴とする照明装置。
【請求項３】
請求項１又は請求項２に記載の照明装置であって、
前記筐体は、
二以上の区域に分割されており、
前記測定部は、
二の区域に一個ずつ配置されている
ことを特徴とする照明装置。
【請求項４】
請求項１又は請求項２に記載の照明装置であって、
前記筐体は、三個の前記測定部が配置された直方体状をなす一の区域を有し、
前記測定部は、前記区域内でそれぞれ異なる頂点の近傍に配置されている
ことを特徴とする照明装置。
【請求項５】
請求項１から請求項４までのいずれか１項に記載の照明装置を備えていることを特徴とする表示装置。
【発明の詳細な説明】
【技術分野】
【０００１】
本発明は、面状光源が設けられた面を有する筐体を備える照明装置、及びその照明装置を備えた表示装置に関する。
【背景技術】
【０００２】
発光ダイオード（ＬＥＤ：Light Emitting Diode）等の複数の発光素子が面状に配列された面状光源（例えばバックライト光源）を備えた照明装置（例えばバックライト装置）は、近年、パーソナルコンピュータ等のコンピュータのモニタ、テレビジョン受像機等の表示装置に広く用いられるようになってきている。
【０００３】
このような照明装置では、温度分布特性が均一でないと、輝度が不均一となり、輝度ムラが発生することがある。特に、面状光源における温度分布特性が均一でないと、面状光源の発光面における輝度が不均一となり、発光面において輝度ムラが発生することが多い。
【０００４】
詳しくは、発光素子は、一般的に、温度と光度との関係が負の相関関係を示す特性（即ち周囲温度が上昇するに伴って相対光度が小さくなる特性）を有しているものが多い。
【０００５】
このため、温度分布特性の不均一性により発光素子の発光効率が発光部の位置によって異なってしまうことから、輝度ムラが発生する。例えば、面状光源における温度分布特性の不均一性により発光素子の発光効率が発光面の位置によって異なってしまうことから、該発光面において輝度ムラが発生し易い。そのため、温度分布特性の不均一性に関わらず、均一な輝度を有する面状光源が要求されている。
【０００６】
ところが、温度分布は、通常、面状光源の姿勢、即ち設置方向によって異なるため、様々な方向に設置可能な面状光源を用いる場合、姿勢の検出及び検出した姿勢に応じた制御が必要となる。
【０００７】
姿勢の検出は、例えば、３次元ジャイロセンサ、３次元重力加速度センサ、ロータリーエンコーダー、ポテンショメータ等の各種姿勢検出機構を備えた検出装置により行われる。
【０００８】
また、例えば、特許文献１には、長方形の液晶表示部が縦方向又は横方向の９０度の範囲で回転可能な液晶表示装置において、放熱構造により、温度分布特性の均一化を狙う方法が提案されている。
【先行技術文献】
【特許文献】
【０００９】
【特許文献１】特開２０１１−２４９２１８号公報
【発明の概要】
【発明が解決しようとする課題】
【００１０】
しかしながら、３次元ジャイロセンサ、３次元重力加速度センサ、ロータリーエンコーダー、ポテンショメータ等の姿勢検出機構は、いずれも高価であるという問題がある。
【００１１】
また、特許文献１に開示されている液晶表示装置は、縦方向又は横方向の２方向にしか対応していないという問題がある。
【００１２】
そこで、本発明では、面状光源が設けられた照明装置において、面状光源が設けられた面を有する筐体内の温度を測定し、測定した温度に基づいて姿勢を検出することにより、安価で、様々な方向の姿勢を検出することが可能な照明装置の提供を目的とする。
【００１３】
また、本発明は、本発明に係る照明装置を備えた表示装置の提供を他の目的とする。
【課題を解決するための手段】
【００１４】
上記課題を解決するために、本発明に係る照明装置は、面状光源が設けられた面を有する筐体を備える照明装置であって、筐体内の空間の温度を測定する複数の測定部と、前記各測定部が測定した温度に基づいて、自装置の姿勢を検出する検出手段とを備えることを特徴とする。
【００１５】
また、本発明は、前記検出手段は、前記各測定部による前記筐体内の測定位置、及び各測定部が測定したそれぞれの温度の比較結果に基づいて、自装置の姿勢を検出することを特徴とする。
【００１６】
また、本発明は、前記筐体は、二以上の区域に分割されており、前記測定部は、二の区域に一個ずつ配置されていることを特徴とする。
【００１７】
また、本発明は、前記検出手段が検出する姿勢の候補は、三以上であり、前記測定部が配置された各区域は、直方体状をなし、前記各測定部が測定したそれぞれの温度の高低の関係は、候補となる姿勢によって異なるように、前記区域内の頂点の近傍に配置されていることを特徴とする。
【００１８】
また、本発明は、前記筐体は、三個の前記測定部が配置された直方体状をなす一の区域を有し、前記測定部は、前記区域内でそれぞれ異なる頂点の近傍に配置されていることを特徴とする。
【００１９】
また、本発明は、前記面状光源は、複数の発光素子を配列して形成されており、前記面状光源を形成する複数の発光素子を１個又は複数個単位で個別に制御する光度制御手段と、前記面状光源における前記複数の発光素子の位置に対する温度分布特性を、前記筐体の姿勢毎にそれぞれ示した複数の補正テーブルと、前記検出手段が検出した姿勢に基づいて、前記複数の補正テーブルのうちから一の補正テーブルを選択する手段とを更に備え、前記光度制御手段は、選択した一の補正テーブルに示された温度分布特性に基づいて、前記位置に対応した複数の発光素子の光度を制御することを特徴とする。
【００２０】
本発明に係る表示装置は、前記照明装置を備えていることを特徴とする。
【発明の効果】
【００２１】
本発明に係る照明装置及び表示装置は、面状光源が設けられた面を有する筐体内の温度を測定する測定部を複数設ける。これにより、筐体内の空気の温度分布は、姿勢に応じて変化するという特性から、各測定部が測定した温度に基づいて自装置の姿勢を検出することができる。したがって、３次元ジャイロセンサ等の高価な姿勢検出機構を用いずとも、温度測定という安価に構成することが可能な方法で姿勢を検出することができるので、生産に係るコストを低減することが可能である等、優れた効果を奏する。また、測定部の配置により、様々な方向の姿勢を検出することが可能である等、優れた効果を奏する。
【図面の簡単な説明】
【００２２】
【図１】本発明の第１実施形態に係る液晶表示装置を備えたテレビ受信装置の概略構成例を示す分解斜視図である。
【図２】本発明の第１実施形態に係る液晶表示装置の姿勢を変化させる回転機構部分を示す概略斜視図である。
【図３】本発明の第１実施形態に係る液晶表示装置の概略構成例を示す分解斜視図である。
【図４】本発明の第１実施形態に係る液晶表示装置の一部の例を概略的に示す断面図である。
【図５】本発明の第１実施形態に係る液晶表示装置の一部の例を概略的に示す斜視図である。
【図６】本発明の第１実施形態に係るバックライト装置の光学シート群を取り外した状態を正面から視た概略平面図である。
【図７】本発明の第１実施形態に係るバックライト装置の光学シート群を取り外した状態を正面から視た概略平面図である。
【図８】本発明の第１実施形態に係る液晶表示装置におけるバックライト装置の制御構成例を示す概略ブロック図である。
【図９】本発明の第１実施形態に係るバックライト光源におけるＬＥＤ基板において白色ＬＥＤが区画された状態の一例を示す概略平面図である。
【図１０】本発明の第１実施形態に係る区画された一つの区画領域を示す概略平面図であって、６個単位で個別に駆動制御される白色ＬＥＤを示す図である。
【図１１】本発明の第１実施形態に係る液晶表示装置を備えたテレビ受信装置の姿勢変化により熱が溜まりやすい部分を模式的に示す概略斜視図である。
【図１２】本発明の第１実施形態に係るバックライト光源に設けられる白色ＬＥＤの周囲温度と相対光度との関係を示すグラフである。
【図１３】本発明の第１実施形態に係る液晶表示装置の第１の横置き姿勢に対応する第１温度分布補正テーブルのデータ構造を示す概略構成図である。
【図１４】本発明の第１実施形態に係る液晶表示装置の第１の縦置き姿勢に対応する第２温度分布補正テーブルのデータ構造を示す概略構成図である。
【図１５】本発明の第１実施形態に係る液晶表示装置の水平置き姿勢に対応する第５温度分布補正テーブルのデータ構造を示す概略構成図である。
【図１６】本発明の第１実施形態に係る最大の設定温度を基準とした温度補正テーブルのデータ構造を示す概略構成図である。
【図１７】本発明の第１実施形態に係る中程の設定温度を基準とした温度補正テーブルＴＢ２のデータ構造を示す概略構成図である。
【図１８】本発明の第１実施形態に係る液晶表示装置における筐体内の配置を姿勢毎に示した模式図である。
【図１９】本発明の第１実施形態に係る姿勢と温度測定部が測定した温度との関係を示す図表である。
【図２０】本発明の第１実施形態に係る液晶表示装置（バックライト装置）の輝度制御処理の一例を示すフローチャートである。
【図２１】本発明の第１実施形態に係る液晶表示装置（バックライト装置）の輝度制御処理の一例を示すフローチャートである。
【図２２】本発明の第２実施形態に係る液晶表示装置を備えたテレビ受信装置の姿勢変化により熱が溜まりやすい部分を模式的に示す概略斜視図である。
【図２３】本発明の第２実施形態に係る液晶表示装置に係る筐体内の配置を姿勢毎に示した模式図である。
【図２４】本発明の第２実施形態に係る姿勢と温度測定部が測定した温度との関係を示す図表である。
【発明を実施するための形態】
【００２３】
以下、本発明に係る実施の形態について図面を参照しながら説明する。なお、以下に示す実施の形態は、本発明を具体化した一例であって、本発明の技術的範囲を限定する性格のものではない。
【００２４】
（第１実施形態）
まず、液晶表示装置１０を備えたテレビ受信装置ＴＶの構成について説明した後、液晶表示装置１０の構成について説明する。
【００２５】
図１は、本発明の第１実施形態に係る液晶表示装置を備えたテレビ受信装置ＴＶの概略構成例を示す分解斜視図である。図１に示すように、テレビ受信装置ＴＶは、液晶表示装置１０と、液晶表示装置１０を挟むようにして収容する表側及び裏側キャビネットＣａ，Ｃｂと、電源ＰＷと、チューナーＴと、スタンドＳｄと、放熱部材１８とを備えている。液晶表示装置１０は、全体として矩形の板状をなし、図１では、６０インチの表示画面を横長の姿勢で保持した状態を例示している。また、表側キャビネットＣａ及び裏側キャビネットＣｂにより、筐体Ｃが形成される。筐体Ｃは、一面に後述する面状光源を有する直方体状をなし、内部の空間は、放熱部材１８により、複数の区域に分割される。なお、便宜上、分割と表現するが、必ずしも完全に離隔されている必要は無く、例えば、筐体Ｃの後部側（裏キャビネットＣｂ側）に隙間を有していてもよい。
【００２６】
図１に示すように、スタンドＳｄは、水平方向に沿った第１回転軸Ｑｘ回りに回転自在、かつ、第１回転軸Ｑｘに直交する第２回転軸Ｑｙ回りに回転自在に裏側キャビネットＣｂを支持する回転機構Ｓｄ１と、回転機構Ｓｄ１を介して液晶表示装置１０を床に設置する設置台Ｓｄ２とを備えている。
【００２７】
図２は、本発明の第１実施形態に係る液晶表示装置１０の姿勢を変化させる回転機構Ｓｄ１部分を示す概略斜視図である。図２（ａ）は、裏側キャビネットＣｂを固定する固定面Ｓｄ１ｃがＸ軸方向ＸとＺ軸方向Ｚとの双方に沿っている状態を示している。図２（ｂ）は、固定面Ｓｄ１ｃがＸ軸方向ＸとＹ軸方向Ｙとの双方に沿っている状態を示している。
【００２８】
図２に示すように、回転機構Ｓｄ１は、設置台Ｓｄ２の上端部Ｓｄ２ａに対して第１回転軸Ｑｘ回りに回転自在に設けられた第１回転部材Ｓｄ１ａと、第１回転部材Ｓｄ１ａに対して第２回転軸Ｑｙ回りに回転自在に設けられた第２回転部材Ｓｄ１ｂとを備えている。ここで、第１回転部材Ｓｄ１ａは、設置台Ｓｄ２の上端部Ｓｄ２ａに対して図示を省略した第１係止機構によって予め定めた所定の回転角度で複数段階に段階的に係止できるようになっている。また、第２回転部材Ｓｄ１ｂは、第１回転部材Ｓｄ１ａに対して図示を省略した第２係止機構によって予め定めた所定の回転角度で複数段階に段階的に係止できるようになっている。
【００２９】
なお、設置台Ｓｄ２は、上端部Ｓｄ２ａが下端側に対して水平方向に直交する垂直方向に沿った第３回転軸（図示せず）回りに回転自在とされ、複数段階に段階的に係止できるようになっていてもよい。
【００３０】
図３は、本発明の第１実施形態に係る液晶表示装置１０の概略構成例を示す分解斜視図である。図４は、本発明の第１実施形態に係る液晶表示装置１０の一部の例を概略的に示す断面図である。図５は、本発明の第１実施形態に係る液晶表示装置１０の一部の例を概略的に示す斜視図である。なお、図４では、後述するベゼル１３、フレーム１６等の一部の部材については図示を省略している。液晶表示装置１０は、液晶パネル１１を備え、更に、液晶パネル１１に対して裏側から照明する照明装置として、バックライト装置１２を備えており、これらが枠状のベゼル１３等の保持部材により一体的に保持されるように構成されている。
【００３１】
次に、液晶表示装置１０を構成する液晶パネル１１及びバックライト装置１２について説明する。
【００３２】
液晶パネル１１は、詳細な構成要素については図示を省略しているが、一対のガラス基板が所定のギャップを隔てた状態で貼り合わせられるとともに、両ガラス基板間に液晶が封入された構成となっている。
【００３３】
一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタ、対向電極、さらには配向膜等の部材が設けられている。なお、両基板の外側には偏光板が配されている。
【００３４】
図３に示すように、バックライト装置１２は、発光面側（液晶パネル１１側）に開口した略箱型をなすシャーシ１４と、シャーシ１４の開口部を覆うようにして配される光学シート群１５と、シャーシ１４の外縁に沿って配され、かつ、光学シート群１５の外縁部をシャーシ１４との間で挟んで保持するフレーム１６と、白色発光する複数の発光ダイオード（発光素子の一例、以下、白色ＬＥＤと称する。）１７，…と、複数の白色ＬＥＤ１７，…を搭載したＬＥＤ基板（基板の一例）２０とを備えている。光学シート群１５は、拡散板１５ａと、拡散板１５ａ及び液晶パネル１１の間に配される１又は複数の光学シート１５ｂとを備えている。
【００３５】
シャーシ１４内には、白色ＬＥＤ１７，…を搭載したＬＥＤ基板２０が配設されている。本願発明に係る本第１実施形態では、シャーシ１４と白色ＬＥＤ１７，…とＬＥＤ基板２０とで面状光源として作用するバックライト光源７０を構成している。なお、バックライト装置１２においては、白色ＬＥＤ１７，…に対して拡散板１５ａ側が発光面側となっている。
【００３６】
詳しくは、シャーシ１４は、金属製の部材で構成されており、液晶パネル１１と同様に矩形状をなす底板１４ａと、底板１４ａの各辺の外端から立ち上がる側板１４ｂと、各側板１４ｂの立ち上がり端から外向きに張り出す受け板１４ｃとを有し、全体として表側に向けて開口した浅い略箱型をなしている。
【００３７】
具体的には、シャーシ１４の受け板１４ｃには、フレーム１６が載置されており、受け板１４ｃとフレーム１６との間で光学シート群１５の外縁部が挟持されている。
【００３８】
シャーシ１４の開口部側には、拡散板１５ａと光学シート１５ｂとを備えた光学シート群１５が配設されている。拡散板１５ａは、合成樹脂製の板状部材に光散乱粒子が分散配合されてなり、白色ＬＥＤ１７，…から出射される点状の光を拡散する機能を有する。拡散板１５ａの外縁部は前述したようにシャーシ１４の受け板１４ｃ上に載置されており、上下方向の強固な拘束力を受けないものとされている。
【００３９】
拡散板１５ａ上に配される光学シート１５ｂは、拡散板１５ａに比して板厚が薄いシート状をなしており、２枚が積層して配されている。光学シート１５ｂの具体的な種類としては、例えば拡散シート、レンズシート、反射型偏光シートなどがあり、これらの中から適宜選択して使用することが可能である。光学シート１５ｂは、白色ＬＥＤ１７，…から出射され、拡散板１５ａを通過した光を面状の光とする機能を有し、白色ＬＥＤ１７，…とは反対側で発光面を構成している。光学シート１５ｂの発光面側には液晶パネル１１が設置されている。
【００４０】
図１及び図４に示すように、第１実施形態において、放熱部材１８は、バックライト光源７０の発光面とは反対側の背面（具体的にはシャーシ１４の背面）の一部に設けられた金属製の部材で構成されている。これにより、放熱部材１８は、バックライト装置１２の本体で発生する熱をシャーシ１４の背面の一部を通じて放熱することができる。また、放熱部材１８は、バックライト光源７０を指示する支持フレームとして機能する。
【００４１】
図１並びに図３乃至図５に示す放熱部材１８は、シャーシ１４に対して、一対の放熱部材１８ａ，１８ｂの長手方向の中央部において一対の放熱部材１８ａ，１８ｂと直交又は略直交する方向に沿って一対の放熱部材１８ａ，１８ｂを連結するように両者の間に設けられている。即ち、放熱部材１８は、一対の放熱部材１８ａ，１８ｂとその間を渡す放熱部材１８ｃとによりＨ形状に形成されている。
【００４２】
一対の放熱部材１８ａ，１８ｂのうち、一方の放熱部材１８ａは、シャーシ１４の背面における行方向Ａの一方側の一部において列方向Ｂに沿って列方向Ｂの全体にわたってシャーシ１４を支持しており、他方の放熱部材１８ｂは、シャーシ１４の背面における行方向Ａの他方側の一部において列方向Ｂに沿って列方向Ｂの全体にわたってシャーシ１４を支持している。また、一対の放熱部材１８ａ，１８ｂを渡す一つの放熱部材１８ｃは、シャーシ１４の背面の中央近傍において行方向Ａに沿って行方向Ａの全体にわたってシャーシ１４を支持ししている。そして、バックライト装置１２は、シャーシ１４を支持する放熱部材１８がテレビ受信装置ＴＶにおける裏側キャビネットＣｂに支持されるようになっている。
【００４３】
第１実施形態において、ＬＥＤ基板２０は、シャーシ１４に設けられている。詳しくは、シャーシ１４の底板１４ａの内面側には、白色ＬＥＤ１７，…が取り付けられたＬＥＤ基板２０が設置されている。ＬＥＤ基板２０は、合成樹脂製の基板であり、その表面に銅箔などの金属膜からなる配線パターン（図示せず）が形成された構成とされる。
【００４４】
第１実施形態において、ＬＥＤ基板２０は、行方向Ａに長い矩形状のものとされている。ＬＥＤ基板２０の表面には、配線パターン（図示せず）に加えて、複数の白色ＬＥＤ１７，…に対応して設けられた複数のランドパターン（図示せず）が形成されている。
【００４５】
第１実施形態において、ＬＥＤ基板２０は、複数（ここでは４つ）のＬＥＤ基板２０ａ，２０ｂ，２０ｃ，２０ｄに分割（具体的には行方向Ａ及び列方向Ｂ方向にそれぞれ２分割されて合計４分割）されている。各ＬＥＤ基板２０ａ，２０ｂ，２０ｃ，２０ｄには、同数の白色ＬＥＤ１７，…が同一の配列状態で並設されている。
【００４６】
図６及び図７は、本発明の第１実施形態に係る図３及び図４に示すバックライト装置１２の光学シート群１５を取り外した状態を正面から視た概略平面図である。図６は、バックライト装置１２における行方向Ａの一方側（左側）で列方向Ｂの両側（上下）に設けられた二つのＬＥＤ基板２０ａ，２０ｂ部分を示している。図７は、バックライト装置１２における行方向Ａの他方側（右側）で列方向Ｂの両側（上下）に設けられた二つのＬＥＤ基板２０ｃ，２０ｄ部分を示している。
【００４７】
図６及び図７に示すように、各ＬＥＤ基板２０ａ，２０ｂ，２０ｃ，２０ｄにおける白色ＬＥＤ１７，…は、予め設定されたピッチＰで等間隔にマトリクス（格子）状に（ここでは行方向Ａに２４個、列方向Ｂに１２個）配列されて実装されている。
【００４８】
なお、各ＬＥＤ基板２０ａ，２０ｂ，２０ｃ，２０ｄにおける白色ＬＥＤ１７，…は、マトリクス状の配列に限定されるものではなく、等間隔に配列されて実装されていれば、何れの配列構成であってもよい。
【００４９】
各白色ＬＥＤ１７，…は、何れも同一型式（即ち同じ構成、構造）とされている。各白色ＬＥＤ１７，…は、ここでは、青色ＬＥＤ（発光）チップが赤色蛍光体及び緑色蛍光体を含有する封止樹脂で覆われた点状光源とされている。なお、蛍光体は黄色蛍光体でもよい。即ち、白色ＬＥＤ１７は、青色ＬＥＤ（発光）チップが黄色の領域に発光ピークを持つ蛍光体を塗布することで白色発光するものとしてもよい。また、白色ＬＥＤ１７は、例えば、青色発光チップに、緑色および赤色の領域に発光ピークを持つ蛍光体を塗布することにより白色発光するものとしてもよい。
【００５０】
図８は、本発明の第１実施形態に係る液晶表示装置１０におけるバックライト装置１２の制御構成例を示す概略ブロック図である。図８に示すように，液晶表示装置１０は、画像受信部１０１及び画像処理部１０２をさらに備えている。また、バックライト装置１２は、バックライト制御部１２１と、記憶部１２２と、姿勢検出部３０とをさらに備えている。
【００５１】
画像受信部１０１は、チューナーＴ等の画像送信装置に接続されており、該画像送信装置から時系列に送信される画像データを受信し、受信した画像データを画像処理部１０２及びバックライト制御部１２１へそれぞれ出力するようになっている。
【００５２】
また、液晶パネル１１には、画像データに対応する制御データが１フレーム分ずつ時系列的に入力される。制御データには、画像データの各画素に対応する制御値が含まれている。ここで、各画素に対応する制御値とは、液晶パネル１１が、各画素の液晶部に印加すべき電圧を制御するためのものである。液晶パネル１１は、入力された制御データに従って、各画素の液晶部に電圧を印加する。各画素の液晶部に印加される電圧の電圧値が適切であれば、液晶パネル１１には、高画質の動画像が表示される。
【００５３】
画像処理部１０２は、入力された画像データに基づいて液晶パネル１１へ出力すべき制御データを生成し、生成した制御データを液晶パネル１１へ出力する。
【００５４】
バックライト制御部１２１は、ＣＰＵ（Central Processing Unit）等の処理部（図示せず）を備えている。記憶部１２２は、ＲＯＭ（Read Only Memory）やＲＡＭ（Random Access Memory）等の記憶メモリ（図示せず）を含み、各種制御プログラムや必要な関数およびテーブルや、後述する温度分布補正テーブルＴＢ１及び温度補正テーブルＴＢ２を含む各種のデータを記憶するようになっている。
【００５５】
バックライト制御部１２１が備える姿勢検出部３０は、第１温度測定部３０ａ及び第２温度測定部３０ｂを有している。第１温度測定部３０ａ及び第２温度測定部３０ｂとしては、様々な温度センサを用いることができる。本願に係る液晶表示装置１０では、複数の温度センサを用いた第１温度測定部３０ａ及び第２温度測定部３０ｂを用いて姿勢の検出を行う。温度センサを用いて姿勢の検出を行うことにより、３次元ジャイロセンサ、３次元重力加速度センサ等の姿勢検出部を設ける場合と比べ、安価な構成とすることができ、また、単純な構成となることから、故障等のトラブルの発生を低減する効果が見込める。なお、複数の温度センサを用いた姿勢検出の詳細については後述する。
【００５６】
第１実施形態では、バックライト制御部１２１は、白色ＬＥＤ１７，…の光度（光量）を１個又は複数個単位（ここでは複数個単位）で個別に制御する機能を有している。
【００５７】
詳しくは、バックライト装置１２におけるバックライト光源７０の各白色ＬＥＤ１７，…は、バックライト制御部１２１から光度（光量）を示す光度信号が入力されることで、駆動制御される。
【００５８】
具体的には、バックライト制御部１２１は、図示を省略した調光回路を備えており、該調光回路によって、白色ＬＥＤ１７，…の点灯に必要な電力を供給してバックライト光源７０における白色ＬＥＤ１７，…を、後述する区画領域α（１，１），α（１，２），…毎に駆動制御するようになっている。
【００５９】
第１実施形態では、バックライト制御部１２１は、外部からの制御信号を受け取って、白色ＬＥＤ１７，…に流れる駆動電流を変化させることで白色ＬＥＤ１７，…の光度を制御するようになっている。なお、バックライト制御部１２１にて白色ＬＥＤ１７，…を駆動制御する駆動方式としては、例えば、定電圧源と抵抗器とを用いた駆動方式や、定電流源を用いた駆動方式、或いは、白色ＬＥＤ１７，…への電圧パルス波のデューティー比を変化させて変調するＰＷＭ（パルス幅）変調を用いた駆動方式といった従来公知の駆動方式を適用できる。このため、ここでは、バックライト制御部１２１にて白色ＬＥＤ１７，…を駆動制御する駆動方式の詳しい説明は省略する。
【００６０】
図９は、本発明の第１実施形態に係るバックライト光源７０におけるＬＥＤ基板２０において白色ＬＥＤ１７，…が区画された状態の一例を示す概略平面図である。また、図１０は、本発明の第１実施形態に係る図９において区画された一つの区画領域α（ｉ，ｊ）を示す概略平面図であって、６個単位で個別に駆動制御される白色ＬＥＤ１７，…を示す図である。なお、図９の区画領域α（ｉ，ｊ）内における数字のうち、左側に位置する数字はｉ（＝１からｍまでの整数）の値を示しており、右側に位置する数字はｊ（＝１からｎまでの整数）の値を示している。また、図１０において区画領域α（ｉ，ｊ）は何れも同様の構成とされているために、ここでは一つの図で示している。
【００６１】
白色ＬＥＤ１７，…は、ＬＥＤ基板２０において行方向Ａにｍ区画（ｍは２以上の整数、ここではｍ＝１６区画）、かつ、列方向Ｂにｎ区画（ｎは２以上の整数、ここではｎ＝１２区画）のｍ×ｎ区画（ここでは１６区画×１２区画＝１９２区画）に矩形状に区切られている。詳しくは、白色ＬＥＤ１７，…は、ＬＥＤ基板２０から分割された各ＬＥＤ基板２０ａ〜２０ｄにおいて、行方向Ａにｍ／２区画（ここでは８区画）、かつ、列方向Ｂにｎ／２区画（ここでは６区画）で合計（ｍ×ｎ／４）区画（ここでは４８）区画に区切られている（図９参照）。
【００６２】
各区画領域α（ｉ，ｊ）には、ｋ個（ｋは２以上の整数）の白色ＬＥＤ１７，…が配線パターンＷによって直列に接続されている（図８参照）。ｋは（白色ＬＥＤの総数）を（ｍ×ｎ区画）で割った値であり、ここでは、６個（＝２４行×１２列×４枚／１９２区画）とされている。これにより、各区画領域α（ｉ，ｊ）における各白色ＬＥＤ１７，…は、各区画領域α（ｉ，ｊ）内においてバックライト制御部１２１による同一の駆動条件での駆動制御（具体的には同一の駆動電流での駆動制御）が行われることになる。
【００６３】
即ち、バックライト制御部１２１は、各区画領域α（ｉ，ｊ）における白色ＬＥＤ１７，…へ出力した光度信号に応じた光度で各区画領域α（ｉ，ｊ）における白色ＬＥＤ１７，…を各区画領域α（ｉ，ｊ）内において同一の駆動条件で個別に点灯させる。なお、バックライト制御部１２１は、各区画領域α（ｉ，ｊ）における白色ＬＥＤ１７，…へ出力した光度信号が光度０を示す場合には、各区画領域α（ｉ，ｊ）における白色ＬＥＤ１７，…を個別に消灯させる。
【００６４】
第１実施形態では、バックライト制御部１２１は、液晶表示装置１０の表示画像において区画された各表示領域ＬＣ，…の明暗と同期してバックライト装置１２の各区画領域α（ｉ，ｊ）のうち各表示領域ＬＣ，…に対応する区画領域の白色ＬＥＤ１７，…の光度を調整する領域毎調光制御（いわゆるローカルディミング制御又はエリアアクティブ制御と称される調光制御）を行う。例えば、バックライト制御部１２１は、液晶表示装置１０の表示画像における各表示領域ＬＣ，…が暗い場合には、バックライト装置１２において、液晶表示装置１０の表示画像における暗い表示領域ＬＣ，…に対応する区画領域α（ｉ，ｊ）における白色ＬＥＤ１７，…を暗くする調光制御を行う。これにより、液晶表示装置１０の高コントラスト化かつ低消費電力化を実現することが可能となる。
【００６５】
詳しくは、バックライト制御部１２１は、入力された画像データに基づいて、各区画領域α（ｉ，ｊ）における白色ＬＥＤ１７，…の光度をそれぞれ演算し、演算した結果に応じた光度信号を各区画領域α（ｉ，ｊ）における白色ＬＥＤ１７，…にそれぞれ出力する。具体的には、バックライト制御部１２１は、画像データの画素値に基づき画像データが液晶パネル１１に入力された場合に、バックライト装置１２における各区画領域α（ｉ，ｊ）に対応する液晶パネル１１の矩形表示される各表示領域ＬＣ，…に表示される画像の明るさ及び色等を演算し、演算した結果に応じて、液晶パネル１１の各表示領域ＬＣ，…を照明する各区画領域α（ｉ，ｊ）における白色ＬＥＤ１７，…の光度を演算し、演算結果に応じた輝度信号を各区画領域α（ｉ，ｊ）における白色ＬＥＤ１７，…にそれぞれ出力する。
【００６６】
かかる制御構成を備えたバックライト装置１２は、液晶パネル１１の各表示領域ＬＣ，…を、表示領域ＬＣ，…に表示される動画像の色及び明るさ等に適した輝度となるような光度で照明する。具体的には、バックライト装置１２は、明るい動画、又は、目立つ色の動画が表示される液晶パネル１１の表示領域ＬＣ，…（即ち、ユーザが注目し易い領域）に対して高い輝度となるような光度で照明する一方、暗い動画、又は、目立たない色の動画が表示される液晶パネル１１の表示領域ＬＣ，…（即ち、ユーザが注目し難い領域）に対して低い輝度となるような光度で照明する。
【００６７】
ところで、液晶表示装置１０の姿勢が変化すると、フレーム１６（図３参照）や放熱部材１８ａ，１８ｂ，１８ｃ等の構成部材の配置状態、内部機構の凹凸、筐体Ｃを形成する表側及び裏側キャビネットＣａ，Ｃｂ（図２参照）に設けられた通気口の位置といったテレビ受信装置ＴＶの構成状態に応じて温度分布特性が変化し、これにより、液晶表示装置１０の姿勢変化の前後で個々の白色ＬＥＤ１７，…が受ける熱の影響に差異が生じることがある。そうすると、液晶表示装置１０の姿勢変化によって、個々の白色ＬＥＤ１７，…の発光効率が異なってしまい、従って、バックライト光源７０の発光面における輝度ムラを招く。
【００６８】
図１１は、本発明の第１実施形態に係る液晶表示装置１０を備えたテレビ受信装置ＴＶの姿勢変化により熱が溜まりやすい部分βを模式的に示す概略斜視図である。図１１（ａ）は、液晶表示装置１０の短手方向がＺ軸方向Ｚに沿っている横置き姿勢を示している。図１１（ｂ）は、液晶表示装置１０の長手方向がＺ軸方向Ｚに沿っている縦置き姿勢を示している。また、図１１（ｃ）は、液晶表示装置１０の厚み方向がＺ軸方向Ｚに沿っている水平置き姿勢を示している。
【００６９】
図１１（ａ）に示すように、液晶表示装置１０の短手方向がＺ軸方向Ｚに沿っている横置き姿勢では、熱は長手方向の頂面の下方部分及び図１１（ａ）の例ではさらに中間の放熱部材１８ｃの下方部分に溜まりやすい。図１１（ｂ）に示すように、液晶表示装置１０の長手方向がＺ軸方向Ｚに沿っている縦置き姿勢では、熱は短手方向の頂面の下方部分及び一対の放熱部材１８ａ，１８ｂの下方部分に溜まりやすい。また、図１１（ｃ）に示すように、液晶表示装置１０の厚み方向がＺ軸方向Ｚに沿っている水平置き姿勢では、熱は表示画面に全体的に溜まりやすい。
【００７０】
かかる観点から、液晶表示装置１０は、自装置の姿勢を検出する姿勢検出部３０として、第１温度測定部３０ａ及び第２温度測定部３０ｂを備えている。図１１（ａ）、（ｂ）及び（ｃ）からも明らかなように、液晶表示装置１０の筐体Ｃ内は、放熱部材１８ａ，１８ｂ，１８ｃにより直方体状をなす４つの区域１０Ａ、１０Ｂ、１０Ｃ及び１０Ｄに分割されている。図１１（ａ）に示す横置き姿勢において、中央部上側が区域１０Ａとなり、区域１０Ａから図１１（ａ）に向かって右回りに、区域１０Ｂ、１０Ｃ、そして１０Ｄとなっている。４つの区域１０Ａ、１０Ｂ、１０Ｃ及び１０Ｄのうち、中間の放熱部材１８ｃに面する２つの区域１０Ａ及び１０Ｃには、各１個ずつ温度測定部が配置されている。なお、便宜上、区域１０Ａに配置されている温度測定部を第１温度測定部３０ａとし、区域１０Ｃに配置されている温度測定部を第２温度測定部３０ｂとする。
【００７１】
第１温度測定部３０ａ及び第２温度測定部３０ｂは、それぞれ、区域１０Ａ及び区域１０Ｃの頂点近傍に配置されており、第１温度測定部３０ａ及び第２温度測定部３０ｂが測定したそれぞれの温度の高低の関係は、姿勢によって異なるように配置されている。姿勢と温度との関係については後述する。
【００７２】
ここで、温度による輝度ムラの発生について説明する。図１２は、本発明の第１実施形態に係るバックライト光源７０に設けられる白色ＬＥＤ１７の周囲温度と相対光度との関係を示すグラフである。なお、図１２において、縦軸は、白色ＬＥＤ１７を一定の基準光度信号（ここでは基準電流（具体的には２０ｍＡ））で駆動して周囲温度が２５℃のときでの白色ＬＥＤ１７の光度を１とした場合の相対光度（割合）を示している。なお、基準光度信号は、前記した領域毎調光制御が行われていないときの基準となる光度信号である。
【００７３】
バックライト装置１２における個々の白色ＬＥＤ１７，…は、前述のように、何れも同一型式（即ち同じ構成、構造）のＬＥＤであり、周囲温度と相対光度との関係が何れも同等の関係を示すため、図１２では、バックライト装置１２における一つの白色ＬＥＤ１７に代表させて示している。
【００７４】
図１２に示すように、バックライト光源７０における白色ＬＥＤ１７は、周囲温度が上昇するに伴って相対光度が小さくなる特性（負の相関関係を示す特性）を有している。
【００７５】
具体的には、個々の白色ＬＥＤ１７，…は、温度と光度との関係が負の相関関係を示す特性を有している。例えば、個々の白色ＬＥＤ１７，…は、自己発熱により、素子（周辺）の温度が上昇するに伴って光度（光量）が減少する。
【００７６】
即ち、液晶表示装置１０の姿勢が変化すると、液晶表示装置１０に係る筐体Ｃ内の温度分布が変化し、温度分布が変化することにより、光度が変化する。よって、液晶表示装置１０の姿勢に関わらず、光度が一定となるように補正を行う必要が生じる。かかる観点から、バックライト制御部１２１は、温度分布に応じて温度分布特性における各白色ＬＥＤ１７，…に対応する区画領域α（ｉ，ｊ）での設定温度と基準温度との温度差に応じて各白色ＬＥＤ１７，…を駆動制御する。
【００７７】
温度補正に際しては、記憶部１２２に記憶されている温度分布補正テーブルＴＢ１及び温度補正テーブルＴＢ２が用いられる。温度分布補正テーブルＴＢ１は、姿勢検出の対象となる姿勢の数に応じて複数設定されている。第１実施形態では、図８に例示するように、液晶表示装置１０の予め定めたｐパターン（ｐは２以上の整数）の姿勢毎に、白色ＬＥＤ１７，…に対応づけられた区画領域α（ｉ，ｊ）に対するバックライト光源７０における温度分布特性を示す第１から第ｐ温度分布補正テーブルＴＢ１（１）〜ＴＢ１（ｐ）が予め記憶部１２２に記憶されている。
【００７８】
具体的には、液晶表示装置１０の横置き姿勢（図１１（ａ）参照）を基準姿勢（０°）とした場合、姿勢検出部３０は、第１回転角度θｘが０°以上±４５°未満、かつ、第２回転角度θｙが０°以上±４５°未満のときに第１の横置き姿勢を検出する。また、第１の横置き姿勢から上下方向を反転させた場合に、同様の角度範囲内で第２の横置き姿勢を検出する。
【００７９】
第１回転角度θｘが±４５°以上±９０°以下、かつ、第２回転角度θｙが０°以上±４５°未満のときに第１の縦置き姿勢（図１１（ｂ）参照）を検出する。また、第１の縦置き姿勢から上下方向を反転させた場合に、同様の角度範囲内で第２の縦置き姿勢を検出する。
【００８０】
さらに、第２回転角度θｙが±４５°以上±９０°以下のときに水平置き姿勢（図１１（ｃ）参照）を検出する。
【００８１】
そして、記憶部１２２には、液晶表示装置１０の第１の横置き姿勢に対応する第１温度分布補正テーブルＴＢ１（１）と、第１の縦置き姿勢に対応する第２温度分布補正テーブルＴＢ１（２）と、第２の横置き姿勢に対応する第３温度分布補正テーブルＴＢ１（３）と、第２の縦置き姿勢に対応する第４温度分布補正テーブルＴＢ１（４）と、液晶表示装置１０の水平置き姿勢に対応する第５温度分布補正テーブルＴＢ１（５）が記憶されている。
【００８２】
図１３は、本発明の第１実施形態に係る液晶表示装置１０の第１の横置き姿勢に対応する第１温度分布補正テーブルＴＢ１（１）のデータ構造を示す概略構成図であり、図１４は、本発明の第１実施形態に係る液晶表示装置１０の第１の縦置き姿勢に対応する第２温度分布補正テーブルＴＢ１（２）のデータ構造を示す概略構成図であり、図１５は、本発明の第１実施形態に係る液晶表示装置１０の水平置き姿勢に対応する第５温度分布補正テーブルＴＢ１（５）のデータ構造を示す概略構成図である。なお、液晶表示装置１０の第２の横置き姿勢に対応する第３温度分布補正テーブルＴＢ１（３）及び第２の縦置き姿勢に対応する第４温度分布補正テーブルＴＢ１（４）は、それぞれ第１温度分布補正テーブルＴＢ１（１）及び第２温度分布補正テーブルＴＢ１（２）を反転させて対応することが可能であるので、例示を省略する。ただし、反転させた場合に温度分布が異なるものとなる場合、別途準備する必要がある。
【００８３】
図１３，図１４及び図１５に示すように、第１温度分布補正テーブルＴＢ１（１）、第２温度分布補正テーブルＴＢ１（２）及び第５温度分布補正テーブルＴＢ１（５）には、白色ＬＥＤ１７，…の温度飽和時の各区画領域α（ｉ，ｊ）における設定温度が設定されている。なお、図１３、図１４及び図１５において斜線部は、放熱部材１８ａ，１８ｂ，１８ｃに対応する部分を示しており、破線部βは熱が溜まりやすい部分を示している。
【００８４】
バックライト制御部１２１（図８参照）は、姿勢検出部３０からの検出データにより、液晶表示装置１０の複数（ここでは５パターン）の姿勢毎に設定した第１温度分布補正テーブルＴＢ１（１）、第２温度分布補正テーブルＴＢ１（２）、第３温度分布補正テーブルＴＢ１（３）、第４温度分布補正テーブルＴＢ１（４）及び第５温度分布補正テーブルＴＢ１（５）のうち何れか一つ（姿勢検出部３０からの検出データに対応した温度分布補正テーブルＴＢ１）を選択する。そして、バックライト制御部１２１は、選択した温度分布補正テーブルＴＢ１の温度分布特性における各白色ＬＥＤ１７，…に対応する区画領域α（ｉ，ｊ）での設定温度と、基準温度との温度差に応じて各白色ＬＥＤ１７，…を駆動制御する。
【００８５】
第１実施形態において、バックライト制御部１２１は、温度と光度との関係が負の相関関係を示す特性を有する白色ＬＥＤ１７，…のうち、設定温度が基準温度よりも低い白色ＬＥＤ１７に対して設定温度と基準温度との温度差に対応する分だけ白色ＬＥＤ１７の光度を小さくするようになっている。そして、基準温度は、温度分布補正テーブルＴＢ１の温度分布特性における設定温度のうち最大の設定温度（具体的には４５℃）とされている。
【００８６】
具体的には、最大の設定温度（具体的には４５℃）を基準とした温度補正テーブルＴＢ２が予め記憶部１２２（図８参照）に記憶されており、バックライト制御部１２１は、温度補正テーブルＴＢ２を用いて各白色ＬＥＤ１７，…を駆動制御する。
【００８７】
図１６は、本発明の第１実施形態に係る最大の設定温度を基準とした温度補正テーブルＴＢ２のデータ構造を示す概略構成図である。図１６に示すように、温度補正テーブルＴＢ２には、最大の設定温度（具体的には４５℃）における白色ＬＥＤ１７，…の光度信号が基準光度信号（具体的には基準電流２０ｍＡ）になるように光度倍率（具体的には基準電流の電流倍率）が各設定温度に対して図１２に示す負の相関関係とは逆の正の相関関係を示す値に設定されている。ここで「正の相関関係」とは、温度の上昇に伴い光度倍率が大きくなり、温度の低下に伴い光度倍率が小さくなる関係である。
【００８８】
また、第１実施形態において、バックライト制御部１２１は、温度と光度との関係が負の相関関係を示す特性を有する白色ＬＥＤ１７，…のうち、設定温度が基準温度よりも高い白色ＬＥＤ１７に対して設定温度と基準温度との温度差に対応する分だけ白色ＬＥＤ１７の光度を大きくするようになっていてもよい。そして、基準温度は、温度分布補正テーブルＴＢ１の温度分布特性における設定温度のうち最大の設定温度より小さい温度とされていてもよい。
【００８９】
ここで、基準温度を、温度分布補正テーブルＴＢ１の温度分布特性における設定温度のうち中程の設定温度（具体的には３９℃）とした場合を例にとって説明すると、中程の設定温度（具体的には３９℃）を基準とした温度補正テーブルＴＢ２が予め記憶部１２２に記憶される。
【００９０】
図１７は、本発明の第１実施形態に係る中程の設定温度を基準とした温度補正テーブルＴＢ２のデータ構造を示す概略構成図である。図１７に示すように、温度補正テーブルＴＢ２には、中程の設定温度（具体的には３９℃）における白色ＬＥＤ１７，…の光度信号が基準光度信号（具体的には基準電流２０ｍＡ）になるように光度倍率（具体的には基準電流の電流倍率）が各設定温度に対して図１１に示す負の相関関係とは逆の正の相関関係を示す値に設定されている。
【００９１】
次に、第１温度測定部３０ａ及び第２温度測定部３０ｂを用いた液晶表示装置１０の姿勢の検出方法について説明する。図１８は、本発明の第１実施形態に係る液晶表示装置１０における筐体Ｃ内の配置を姿勢毎に示した模式図である。図１８には、放熱部材１８ａ，１８ｂ，１８ｃ、区域１０Ａ，１０Ｂ，１０Ｃ，１０ｄ、並びに第１温度測定部３０ａ及び第２温度測定部３０ｂの配置が示されている。なお、図１８（ａ）が第１の横置き姿勢を示しており、この姿勢を状態１と定義する。図１８（ｂ）が第１の縦置き姿勢を示しており、この姿勢を状態２と定義する。図１８（ｃ）が第２の横置き姿勢を示しており、この姿勢を状態３と定義する。図１８（ｄ）が第２の縦置き姿勢を示しており、この姿勢を状態４と定義する。図１８（ｅ）が水平置き姿勢を示しており、この姿勢を状態５と定義する。なお、図１８（ａ）〜図１８（ｅ）に示すＡ，Ｂ，Ｃ，Ｄの文字は、液晶表示装置１０の各辺を示し、それぞれの方向の関係の把握を容易にすることを目的としたものである。
【００９２】
図１９は、本発明の第１実施形態に係る姿勢と温度測定部３０ａ，３０ｂが測定した温度との関係を示す図表である。図１９は、図１８（ａ）〜（ｅ）として示した各状態における第１温度測定部３０ａ及び第２温度測定部３０ｂによる温度測定結果の関係を示している。なお、測定温度は、高温（Ｈ）、中温（Ｍ）及び低温（Ｌ）の三段階に分級して示している。即ち、状態１の姿勢の場合、第１温度測定部３０ａによる温度測定結果は高温（Ｈ）となり、第２温度測定部３０ｂによる測定結果も高温（Ｈ）となる。状態２の姿勢の場合、第１温度測定部３０ａによる温度測定結果は低温（Ｌ）となり、第２温度測定部３０ｂによる測定結果は高温（Ｈ）となる。状態３の姿勢の場合、第１温度測定部３０ａによる温度測定結果は低温（Ｌ）となり、第２温度測定部３０ｂによる測定結果も低温（Ｌ）となる。状態４の姿勢の場合、第１温度測定部３０ａによる温度測定結果は高温（Ｈ）となり、第２温度測定部３０ｂによる温度測定結果は低温（Ｌ）となる。状態５の姿勢の場合、第１温度測定部３０ａによる温度測定結果は中温（Ｍ）となり、第２温度測定部３０ｂによる温度測定結果も中温（Ｍ）となる。このように第１温度測定部３０ａが測定した温度及び第２温度測定部３０ｂが測定した温度の高低の関係は、姿勢によって全て異なるようになっている。なお、高温（Ｈ）、中温（Ｍ）及び低温（Ｌ）に分級するため、測定温度に対しては、第１閾値Ｔth１、及び第１閾値Ｔth１より低温の第２閾値Ｔth２が予め設定されており、測定温度と、第１閾値Ｔth１及び第２閾値Ｔth２とを比較することにより、高温（Ｈ）、中温（Ｍ）及び低温（Ｌ）への分級が行われる。第１閾値Ｔth１及び第２閾値Ｔth２は記憶部１２２に記憶されている。
【００９３】
図２０及び図２１は、本発明の第１実施形態に係る液晶表示装置１０（バックライト装置１２）の輝度制御処理の一例を示すフローチャートである。図２０及び図２１に示す輝度制御処理は、液晶表示装置１０が起動後に実行する処理であり、第１温度測定部３０ａ及び第２温度測定部３０ｂが測定した温度に基づいて、自装置の姿勢を検出し、検出した姿勢に基づいて、各白色ＬＥＤ１７，…の光度を制御する処理である。
【００９４】
液晶表示装置１０が備えるバックライト装置１２のバックライト制御部１２１は、起動後に、起動直後の第１温度測定部３０ａによる温度の測定値Ｔ１i 及び第２温度測定部３０ｂによる温度の測定値Ｔ２i を記憶部１２２に記録する（ステップＳ１）。
【００９５】
バックライト制御部１２１は、所定時間が経過したか否かを判別する（ステップＳ２）。液晶表示装置１０における筐体Ｃ内の温度が上昇し、光度制御が必要となるまでは、一定の時間経過が必要となるからである。従って、所定時間が経過していないと判別した場合（ステップＳ２：ＮＯ）、バックライト制御部１２１は、ステップＳ２の処理を再度実行する。
【００９６】
ステップＳ２において、所定時間が経過したと判別した場合（ステップＳ２：ＹＥＳ）、バックライト制御部１２１は、第１温度測定部３０ａの測定値Ｔ１及び第２温度測定部３０ｂの測定値Ｔ２が所定の温度条件を満足するか否かを判別する（ステップＳ３）。ステップＳ３における所定の温度条件とは、第１温度測定部３０ａの測定値Ｔ１が、第１温度測定部３０ａの起動直後の測定値Ｔ１i と第１温度測定部３０ａの基準値Ｔ１s の和より高く、かつ、第２温度測定部３０ｂの測定値Ｔ２が、第２温度測定部３０ｂの既読直後の測定値Ｔ２i と第２温度測定部３０ｂの基準値Ｔ２s の和より高いことである。即ち、ステップＳ２は、所定時間が経過後、姿勢検出が可能で、かつ、光度制御が必要となる温度まで温度が上昇しているか否かを判定する処理である。従って、所定の温度条件を満足していないと判別した場合（ステップＳ３：ＮＯ）、バックライト制御部１２１は、ステップＳ３の判別処理を再度実行する。
【００９７】
ステップＳ１〜Ｓ３の処理により、姿勢検出が可能で、かつ、光度制御が必要であると判別した場合、バックライト装置１２の姿勢を検出し、温度分布補正テーブルＴＢ１を選択する処理を実行する。即ち、ステップＳ３において、所定の温度条件を満足すると判別した場合（ステップＳ３：ＹＥＳ）、バックライト制御部１２１は、第１温度測定部３０ａによる測定値Ｔ１と第２温度測定部３０ｂによる測定値Ｔ２とが等しいか否かを判別する（ステップＳ４）。なお、ステップＳ４では、完全に一致していなくても±０．３℃程度の差であれば、等しいとする等の余裕を設けてもよい。
【００９８】
ステップＳ４において、測定値Ｔ１と測定値Ｔ２とが等しいと判別した場合（ステップＳ４：ＹＥＳ）、バックライト制御部１２１は、第１温度測定部３０ａによる測定値Ｔ１が、第１閾値Ｔth１より高いか否かを判別する（ステップＳ５）。
【００９９】
ステップＳ５において、測定値Ｔ１が、第１閾値Ｔth１より高いと判別した場合（ステップＳ５：ＹＥＳ）、バックライト制御部１２１は、第１温度分布補正テーブルＴＢ１（１）を選択する（ステップＳ６）。即ち、ステップＳ６は、姿勢検出部３０が備える第１温度測定部３０ａ及び第２温度測定部３０ｂの温度測定に基づく姿勢の検出により、バックライト装置１２の姿勢は、状態１として定義される第１の横置き姿勢であることが検出されたと判別し、第１温度分布補正テーブルＴＢ１（１）を選択する処理である。
【０１００】
ステップＳ５において、測定値Ｔ１が、第１閾値Ｔth１より高くない、即ち第１閾値以下であると判別した場合（ステップＳ５：ＮＯ）、バックライト制御部１２１は、第１温度測定部３０ａによる測定値Ｔ１が、第２閾値Ｔth２より高いか否かを判別する（ステップＳ７）。なお、第２閾値Ｔth２は、第１閾値Ｔth１より低温に設定されている。
【０１０１】
ステップＳ７において、測定値Ｔ１が、第２閾値Ｔth２より高いと判別した場合（ステップＳ７：ＹＥＳ）、バックライト制御部１２１は、第５温度分布補正テーブルＴＢ１（５）を選択する（ステップＳ８）。即ち、ステップＳ８は、姿勢検出部３０が備える第１温度測定部３０ａ及び第２温度測定部３０ｂの温度測定に基づく姿勢の検出により、バックライト装置１２の姿勢は、状態５として定義される水平置き姿勢であることが検出されたと判別し、第５温度分布補正テーブルＴＢ１（５）を選択する処理である。
【０１０２】
ステップＳ７において、測定値Ｔ１が、第２閾値Ｔth２より高くない、即ち第２閾値以下であると判別した場合（ステップＳ７：ＮＯ）、バックライト制御部１２１は、第３温度分布補正テーブルＴＢ１（３）を選択する（ステップＳ９）。即ち、ステップＳ９は、姿勢検出部３０が備える第１温度測定部３０ａ及び第２温度測定部３０ｂの温度測定に基づく姿勢の検出により、バックライト装置１２の姿勢は、状態３として定義される第２の横置き姿勢であることが検出されたと判別し、第３温度分布補正テーブルＴＢ１（３）を選択する処理である。
【０１０３】
ステップＳ４において、測定値Ｔ１と測定値Ｔ２とが等しくない、即ち第１測定値Ｔ１及び第２測定値Ｔ２は異なると判別した場合（ステップＳ４：ＮＯ）、バックライト制御部１２１は、第１温度測定部３０ａによる測定値Ｔ１が第２温度測定部３０ｂによる測定値Ｔ２より低温であるか否かを判別する（ステップＳ１０）。
【０１０４】
ステップＳ１０において、測定値Ｔ１が測定値Ｔ２より低温であると判別した場合（ステップＳ１０：ＹＥＳ）、バックライト制御部１２１は、第２温度分布補正テーブルＴＢ１（２）を選択する（ステップＳ１１）。即ち、ステップＳ１１は、姿勢検出部３０が備える第１温度測定部３０ａ及び第２温度測定部３０ｂの温度測定に基づく姿勢の検出により、バックライト装置１２の姿勢は、状態２として定義される第１の縦置き姿勢であることが検出されたと判別し、第２温度分布補正テーブルＴＢ１（２）を選択する処理である。
【０１０５】
ステップＳ１０において、測定値Ｔ１が測定値Ｔ２より低温ではない、即ち測定値Ｔ１が測定値Ｔ２より高温であると判別した場合（ステップＳ１０：ＮＯ）、バックライト制御部１２１は、第４温度分布補正テーブルＴＢ１（４）を選択する（ステップＳ１２）。即ち、ステップＳ１２は、姿勢検出部３０が備える第１温度測定部３０ａ及び第２温度測定部３０ｂの温度測定に基づく姿勢の検出により、バックライト装置１２の姿勢は、状態４として定義される第２の縦置き姿勢であることが検出されたと判別し、第４温度分布補正テーブルＴＢ１（４）を選択する処理である。
【０１０６】
以上、ステップＳ４〜Ｓ１２の処理により、第１温度測定部３０ａ及び第２温度測定部３０ｂが測定した温度に基づいて、バックライト装置１２の姿勢を検出する。即ち、バックライト装置１２の筐体Ｃ内を分割した区域１０Ａにおける第１温度測定部３０ａによる測定位置及び区域１０Ｃにおける第２温度測定部３０ｂによる測定位置、並びに各温度測定部３０ａ、３０ｂが測定したそれぞれの温度の比較結果に基づいて、バックライト装置１２の姿勢を検出する。
【０１０７】
なお、上記ステップＳ４〜Ｓ１２の処理はあくまでも一例であり、測定温度の比較により、図１９の図表に示す状態１〜５のいずれかを特定することができるのであれば、比較の手順は適宜設定することが可能である。
【０１０８】
引き続き、温度分布補正テーブルＴＢ１を選択後に、区画領域α（ｉ，ｊ）における白色ＬＥＤ１７，…の輝度制御の処理について説明する。バックライト制御部１２１は、先ず、初期処理として変数ｉ，ｊに１を代入した後（ステップＳ１３）、選択した温度分布補正テーブルＴＢ１の区画領域α（ｉ，ｊ）（ｉ＝１，ｊ＝１）から設定温度のデータとして４１℃を取得し（ステップＳ１４）、ステップＳ１４で取得した設定温度のデータ４１℃を用いて温度補正テーブルＴＢ２の設定温度４１℃から電流倍率のデータとして０．９６９を取得する（ステップＳ１５）。次に、バックライト制御部１２１は、ステップＳ１５で取得した電流倍率のデータ（０．９６９）と基準電流（２０ｍＡ）とを掛け合わせて駆動電流１９．３８ｍＡを算出し（ステップＳ１６）、算出した駆動電流（１９．３８ｍＡ）で区画領域α（１，１）における各白色ＬＥＤ１７，…を駆動する（ステップＳ１７）。
【０１０９】
以下同様にして、バックライト制御部１２１は、区画領域α（１，２）〜区画領域α（ｍ、ｎ）についても、駆動電流を算出し、算出した駆動電流で区画領域α（１，２）〜区画領域α（ｍ、ｎ）における各白色ＬＥＤ１７，…を駆動する。即ち、バックライト制御部１２１は、ｊがｎ（＝１２）に達したか否かを判断し（ステップＳ１８）、ｊがｎに達していない場合には（ステップＳ１８：ＮＯ）、ｊに１を加算して（ステップＳ１９）、ステップＳ１４に移行する一方、ｊがｎに達した場合には（ステップＳ１８：ＹＥＳ）、ステップＳ２０に移行する。次に、バックライト制御部１２１は、ｉがｍ（＝１６）に達したか否かを判断し（ステップＳ２０）、ｉがｍに達していない場合には（ステップＳ２０：ＮＯ）、ｊに１を代入し、ｉに１を加算して（ステップＳ２１）、ステップＳ１３に移行する一方、ｉがｍに達した場合には（ステップＳ１９：Ｙｅｓ）、処理を終了する。
【０１１０】
以上のように、本発明の第１実施形態によれば、２個の温度測定部３０ａ，３０ｂを用いることで、液晶表示装置１０が備えるバックライト装置１２の姿勢を検出することができ、これにより、輝度制御等の様々な制御に展開することができる。従って、従来の方法と比較して安価に姿勢を検出することが可能となる。
【０１１１】
（第２実施形態）
第２実施形態は、第１実施形態において、バックライト装置の筐体Ｃ内の空間が、放熱部材により分割されておらず、直方体状をなす単一の領域となっている形態である。なお、以降の説明において、第１実施形態と同様の構成については、第１実施形態と同様の符号を付し、第１実施形態の説明を参酌するものとし、その詳細な説明を省略する。
【０１１２】
図２２は、本発明の第２実施形態に係る液晶表示装置１０を備えたテレビ受信装置ＴＶの姿勢変化により熱が溜まりやすい部分βを模式的に示す概略斜視図である。図２２（ａ）は、液晶表示装置１０の短手方向がＺ軸方向Ｚに沿っている横置き姿勢を示している。図２２（ｂ）は、液晶表示装置１０の長手方向がＺ軸方向Ｚに沿っている縦置き姿勢を示している。また、図２２（ｃ）は、液晶表示装置１０の厚み方向がＺ軸方向Ｚに沿っている水平置き姿勢を示している。
【０１１３】
図２２（ａ）に示すように、液晶表示装置１０の短手方向がＺ軸方向Ｚに沿っている横置き姿勢では、熱は長手方向の頂面の下方部分に溜まりやすい。図２２（ｂ）に示すように、液晶表示装置１０の長手方向がＺ軸方向Ｚに沿っている縦置き姿勢では、熱は短手方向の頂面の下方部分に溜まりやすい。また、図２２（ｃ）に示すように、液晶表示装置１０の厚み方向がＺ軸方向Ｚに沿っている水平置き姿勢では、熱は表示画面に全体的に溜まりやすい。
【０１１４】
また、液晶表示装置１０は、自装置の姿勢を検出する姿勢検出部３０として、第１温度測定部３０ａ、第２温度測定部３０ｂ及び第３温度測定部３０ｃを備えている。第１温度測定部３０ａ、第２温度測定部３０ｂ及び第３温度測定部３０ｃは、図２２（ａ）に示す横置き姿勢に対し、筐体Ｃ内で、Ｘ軸方向Ｘに延びる長辺及びＺ軸方向Ｚに延びる短辺にて形成される長方形状の領域のそれぞれ異なる頂点近傍に配置されている。このように配置することで、各温度測定部３０ａ，３０ｂ，３０ｃによる筐体Ｃ内の測定位置及び各温度測定部３０ａ，３０ｂ，３０ｃが測定したそれぞれの温度の比較結果に基づいて、バックライト装置１２の姿勢を検出することができる。
【０１１５】
次に、第１温度測定部３０ａ、第２温度測定部３０ｂ及び第３温度測定部３０ｃを用いた液晶表示装置１０の姿勢の検出方法について説明する。図２３は、本発明の第２実施形態に係る液晶表示装置１０に係る筐体Ｃ内の配置を姿勢毎に示した模式図である。図２３には、第１温度測定部３０ａ、第２温度測定部３０ｂ及び第３温度測定部３０ｃの配置が示されている。なお、図２３（ａ）が第１の横置き姿勢を示しており、この姿勢を状態１と定義する。図２３（ｂ）が第１の縦置き姿勢を示しており、この姿勢を状態２と定義する。図２３（ｃ）が第２の横置き姿勢を示しており、この姿勢を状態３と定義する。図２３（ｄ）が第２の縦置き姿勢を示しており、この姿勢を状態４と定義する。図２３（ｅ）が水平置き姿勢を示しており、この姿勢を状態５と定義する。なお、図２３（ａ）〜図１８（ｅ）に示すＡ，Ｂ，Ｃ，Ｄの文字は、液晶表示装置１０の各辺を示し、それぞれの方向の関係の把握を容易にすることを目的としたものである。
【０１１６】
図２４は、本発明の第２実施形態に係る姿勢と温度測定部３０ａ，３０ｂ，３０ｃが測定した温度との関係を示す図表である。図２４は、図２３（ａ）〜（ｅ）として示した各状態における第１温度測定部３０ａ、第２温度測定部３０ｂ及び第３温度測定部３０ｃによる温度測定結果の関係を示している。なお、測定温度は、高温（Ｈ）及び低温（Ｌ）の三段階に分級して示している。即ち、状態１の姿勢の場合、第１温度測定部３０ａによる温度測定結果が高温（Ｈ）、第２温度測定部３０ｂによる温度測定結果が低温（Ｌ）、そして第３温度測定部３０ｃによる温度測定結果が高温（Ｈ）となる。状態２の姿勢の場合、第１温度測定部３０ａによる温度測定結果が低温（Ｌ）、第２温度測定部３０ｂによる温度測定結果が高温（Ｈ）、そして第３温度測定部３０ｃによる温度測定結果が高温（Ｈ）となる。状態３の姿勢の場合、第１温度測定部３０ａによる温度測定結果が低温（Ｌ）、第２温度測定部３０ｂによる温度測定結果が高温（Ｈ）、そして第３温度測定部３０ｃによる温度測定結果が低温（Ｌ）となる。状態４の姿勢の場合、第１温度測定部３０ａによる温度測定結果が高温（Ｈ）、第２温度測定部３０ｂによる温度測定結果が低温（Ｌ）、そして第３温度測定部３０ｃによる温度測定結果が低温（Ｌ）となる。状態５の姿勢の場合、第１温度測定部３０ａによる温度測定結果が高温（Ｈ）、第２温度測定部３０ｂによる温度測定結果が低温（Ｌ）、そして第３温度測定部３０ｃによる温度測定結果が高温（Ｈ）となる。第２実施形態においては、高温（Ｈ）及び低温（Ｌ）だけであるので、液晶表示装置１０を起動後、所定の温度条件に達した後は、分級のための閾値を設けなくとも、各温度測定結果の比較だけで、姿勢を示す状態を判別することが可能となる。
【０１１７】
そして、各温度測定結果の比較により姿勢を検出し、検出した姿勢に応じた温度分布補正テーブルＴＢ１を選択する。その後の処理は、第１実施形態において図２０及び図２１を用いて説明した輝度制御処理におけるステップＳ１２〜ステップＳ１９の処理と同様であるので、第１実施形態を参照するものとし、その説明を省略する。
【０１１８】
以上のように、本発明の第２実施形態によれば、液晶表示装置１０が備えるバックライト装置１２の筐体Ｃ内が複数の区域に分割されていない場合であっても、３個の温度測定部を用いることで姿勢を検出することができ、これにより、輝度制御等の様々な制御に展開することができる。従って、従来の方法と比較して安価に姿勢を検出することが可能となる。
【０１１９】
前記実施形態は、本発明の無数に存在する実施例の一部を開示したに過ぎず、目的、用途、仕様、設定等の様々な要因を加味して適宜設計することが可能である。例えば、筐体Ｃ内で温度測定部による測定値、温度測定部の個数、筐体Ｃ内の区域の形状及び配置等の要素については適宜設計することが可能である。
【０１２０】
以上詳述したように、本発明に係る照明装置１２は、面状光源７０が設けられた面を有する筐体Ｃを備える照明装置１２であって、筐体内Ｃの空間の温度を測定する複数の測定部３０ａ，３０ｂ，…と、前記各測定部３０ａ，３０ｂ，…が測定した温度に基づいて、自装置１２の姿勢を検出する検出手段３０とを備えることを特徴とする。
【０１２１】
本発明によれば、筐体Ｃ内の空気の温度分布は、姿勢に応じて変化するという特性に基づき、筐体Ｃ内の温度の測定結果に基づいて姿勢を検出することができる。
【０１２２】
また、本発明は、前記検出手段３０は、前記各測定部３０ａ，３０ｂ，…による前記筐体Ｃ内の測定位置、及び各測定部３０ａ，３０ｂ，…が測定したそれぞれの温度の比較結果に基づいて、自装置１２の姿勢を検出することを特徴とする。
【０１２３】
本発明によれば、筐体Ｃ内に適宜配置された測定部３０ａ，３０ｂ，…にて測定した温度に基づいて筐体Ｃ内の温度分布を判別し、姿勢を検出することができる。
【０１２４】
また、本発明は、前記筐体Ｃは、二以上の区域１０Ａ，１０Ｃ，…に分割されており、前記測定部３０ａ，３０ｂは、二の区域に一個ずつ配置されていることを特徴とする。
【０１２５】
本発明によれば、二個の測定部３０ａ，３０ｂにより姿勢を検出することができる。
【０１２６】
また、本発明は、前記検出手段３０が検出する姿勢の候補は、三以上であり、前記測定部３０ａ，３０ｂが配置された各区域１０Ａ，１０Ｃは、直方体状をなし、前記各測定部３０ａ，３０ｂが測定したそれぞれの温度の高低の関係は、候補となる姿勢によって異なるように、前記区域１０Ａ，１０Ｃ内の頂点の近傍に配置されていることを特徴とする。
【０１２７】
本発明によれば、測定した温度の関係により姿勢を検出することができ、しかも、姿勢による温度変化が大きい頂点近傍に測定部３０ａ，３０ｂを配置することにより、高精度に姿勢を検出することができる。
【０１２８】
また、本発明は、前記筐体Ｃは、三個の前記測定部３０ａ，３０ｂ，３０ｃが配置された直方体状をなす一の区域を有し、前記測定部３０ａ，３０ｂ，３０ｃは、前記区域Ｃ内でそれぞれ異なる頂点の近傍に配置されていることを特徴とする。
【０１２９】
本発明によれば、三個の測定部３０ａ，３０ｂ，３０ｃにより姿勢を検出することができ、しかも、姿勢による温度変換が大きい頂点近傍に測定部３０ａ，３０ｂ，３０ｃを配置することにより、高精度に姿勢を検出することができる。
【０１３０】
また、本発明は、前記面状光源７０は、複数の発光素子１７，…を配列して形成されており、前記面状光源７０を形成する複数の発光素子１７，…を１個又は複数個単位で個別に制御する光度制御手段１２１と、前記面状光源７０における前記複数の発光素子１７，…の位置に対する温度分布特性を、前記筐体Ｃの姿勢毎にそれぞれ示した複数の補正テーブルＴＢ１（１），ＴＢ１（２），…と、前記検出手段３０が検出した姿勢に基づいて、前記複数の補正テーブルＴＢ（１）１，ＴＢ１（２），…のうちから一の補正テーブルＴＢ１を選択する手段とを更に備え、前記光度制御手段１２１は、選択した一の補正テーブルＴＢ１に示された温度分布特性に基づいて、前記位置に対応した複数の発光素子１７，…の光度を制御することを特徴とする。
【０１３１】
本発明によれば、補正テーブルＴＢ１の温度分布特性に基づいて発光素子の光度を制御するので、温度分布特性の不均一性に関わらず輝度を均一にすることができる。
【０１３２】
本発明に係る表示装置１０は、前記照明装置１２を備えていることを特徴とする。
【０１３３】
本発明によれば、筐体Ｃの温度分布は、姿勢に応じて変化するという特性に基づき、筐体Ｃ内の温度の測定結果に基づいて姿勢を検出することができる。
【符号の説明】
【０１３４】
１０  液晶表示装置
１０Ａ，１０Ｂ，１０Ｃ，１０Ｄ  区域
１１  液晶パネル
１２  バックライト装置（照明装置）
１３  ベゼル
１４  シャーシ
１５  光学シート群
１６  フレーム
１７  白色ＬＥＤ
１８，１８ａ，１８ｂ，１８ｃ  放熱部材
２０  ＬＥＤ基板
３０  姿勢検出部
３０ａ  第１温度測定部
３０ｂ  第２温度測定部
３０ｃ  第３温度測定部
７０  バックライト光源
１０１  画像受信部
１０２  画像処理部
１２１  バックライト制御部
１２２  記憶部
Ｃ  筐体
Ｃａ  表側キャビネット
Ｃｂ  裏側キャビネット
ＴＢ１  温度分布補正テーブル
ＴＢ２  温度補正テーブル
ＴＶ  テレビ受信装置
【図１】
2014170641.tif 000003
【図２】
2014170641.tif 000004
【図３】
2014170641.tif 000005
【図４】
2014170641.tif 000006
【図５】
2014170641.tif 000007
【図６】
2014170641.tif 000008
【図７】
2014170641.tif 000009
【図８】
2014170641.tif 000010
【図９】
2014170641.tif 000011
【図１０】
2014170641.tif 000012
【図１１】
2014170641.tif 000013
【図１２】
2014170641.tif 000014
【図１３】
2014170641.tif 000015
【図１４】
2014170641.tif 000016
【図１５】
2014170641.tif 000017
【図１６】
2014170641.tif 000018
【図１７】
2014170641.tif 000019
【図１８】
2014170641.tif 000020
【図１９】
2014170641.tif 000021
【図２０】
2014170641.tif 000022
【図２１】
2014170641.tif 000023
【図２２】
2014170641.tif 000024
【図２３】
2014170641.tif 000025
【図２４】
2014170641.tif 000026